(57)【要約】  本発明は、光ファイバの長手方向中心軸０から離間して配置された複数の少なくとも４つのファイバコア１〜６を内部に埋め込んだ光ファイバを有する光ファイバセンサを有し、ファイバコアがそれぞれ歪みなし状態でファイバコア１〜６に導入された光に応答する共振波長を有する、光形状検出システムに関する。このシステムは、ファイバコア１〜６の歪みなし状態におけるファイバコアの共振波長を含むスキャン波長範囲の光でファイバコア１〜６をインタロゲ‐トするように構成された光学インタロゲ‐ションユニット２１を更に有する。スキャン波長範囲は、スキャン波長範囲の中心波長が、ファイバコア１〜６のうちの少なくとも１つの共振波長に対して偏心されるように設定される。
2022502631.tif 000002
【特許請求の範囲】
【請求項１】
光ファイバを有する光ファイバセンサであって、前記光ファイバが、前記光ファイバの長手方向中心軸から離間して配置された複数のファイバコアを内部に埋め込まれており、前記ファイバコアが、それぞれ、歪みなし状態で前記ファイバコアに導入された光に応答する共振波長を有する、光ファイバセンサと、
歪みなし状態の前記ファイバコアの前記共振波長を含むスキャン波長範囲の光で前記ファイバコアをインタロゲ‐トするように構成された光学インタロゲ‐ションユニットと、
を有する光学形状感知システムにおいて、
前記光学インタロゲ‐ションユニットは、前記スキャン波長範囲の中心波長が前記ファイバコアのうちの少なくとも１つの共振波長に対して偏心されるように、前記スキャン波長範囲を設定するように構成され、
前記複数のファイバコアが、第１のファイバコアのサブセット及び少なくとも１つの第２のファイバコアの第２のサブセットを有し、前記第１のファイバコアが、歪みなし状態で前記第１のファイバコアに導入された光に応答する第１の共振波長を有し、前記少なくとも１つの第２のファイバコアが、歪みなし状態で前記少なくとも１つの第２のファイバコアに導入された光に応答する第２の共振波長を有し、前記第１の共振波長が、前記第２の共振波長とは異なり、前記インタロゲ‐ションユニットは、前記中心波長が前記第１の共振波長と前記第２の共振波長との間にあるように前記スキャン波長範囲を設定するように構成される、
光学形状感知システム。
【請求項２】
前記光学インタロゲ‐ションユニットは、前記スキャン波長範囲の前記中心波長が、全てのファイバコアの共振波長に対して偏心されるように、前記スキャン波長範囲を設定するように構成される、請求項１に記載の光学形状感知システム。
【請求項３】
前記複数のファイバコアは、第１のファイバコアの第１のサブセット及び少なくとも１つの第２のファイバコアの第２のサブセットを有し、前記第１のファイバコアが、歪みなし状態で前記第１のファイバコアに導入された光に応答する第１の共振波長を有し、前記少なくとも１つの第２のファイバコアが、歪みなし状態で前記少なくとも１つの第２のファイバコアに導入された光に応答する第２の共振波長を有し、前記第１の共振波長が、前記第２の共振波長とは異なる、請求項１に記載の光形状検出システム。
【請求項４】
前記インタロゲ‐ションユニットは、前記スキャン波長範囲の前記中心波長が、前記第１の共振波長に対して偏心され、前記第２の共振波長を中心とするように、又はその逆になるように、前記スキャン波長範囲の前記中心波長を設定するように構成される、請求項３に記載の光学形状感知システム。
【請求項５】
前記第１の共振波長は、互いに等しく、前記インタロゲ‐ションユニットは、前記中心波長が、前記第１の共振波長と前記第２の共振波長との間の中間にあるように、前記スキャン波長範囲を設定するように構成される、請求項１に記載の光学形状感知システム。
【請求項６】
全てのファイバコアの共振波長が、等しい、請求項２に記載の光学形状感知システム。
【請求項７】
前記インタロゲ‐ションユニットは、前記中心波長が、前記少なくとも１つのファイバコアの共振波長に対して、前記スキャン波長範囲の半分未満だけ偏心されるように、前記スキャン波長範囲を設定するように構成される、請求項１に記載の光学形状感知システム。
【請求項８】
前記ファイバコアは、互いに対して等距離で前記中心軸の周りに方位角方向に分布される、請求項１に記載の光学的形状感知システム。
【請求項９】
前記ファイバコアは、互いに対して非等距離で前記中心軸の周りに方位角方向に分布される、請求項１に記載の光学的形状感知システム。
【請求項１０】
前記長手方向中心軸から離間して配置されたファイバコアの数が、５、６、又はそれ以上である、請求項１に記載の光学形状感知システム。
【請求項１１】
前記光ファイバは、前記ファイバの前記中心軸上に配置された中心ファイバコアを更に有する、請求項１に記載の光学的形状感知システム。
【請求項１２】
反射スペクトルを用いて前記ファイバセンサの形状を再構成するように構成された評価ユニットを更に有する、請求項１に記載の光学式形状感知システム。
【請求項１３】
光ファイバを含む光ファイバセンサを使用する光学形状感知方法において、前記光ファイバが、前記光ファイバの長手方向中心軸から離間して配置された複数の少なくとも４つのファイバコアを埋め込まれており、前記ファイバコアは、それぞれ、歪みのない状態で前記ファイバコアに導入された光に応答する共振波長を有し、前記方法が、
歪みなし状態における前記ファイバコアの前記共振波長を含むスキャン波長範囲内の光で前記ファイバコアをインタロゲ‐トするステップ、
を有し、
前記インタロゲ‐トするステップは、前記スキャン波長範囲の中心波長が前記ファイバコアの少なくとも１つの共振波長に対して偏心されるように、前記スキャン波長範囲を設定するステップを有し、
前記複数のファイバコアは、第１のファイバコアの第１のサブセット及び少なくとも１つの第２のファイバコアの第２のサブセットを有し、前記第１のファイバコアが、歪みなし状態において前記第１のファイバコアに導入された光に応答する第１の共振波長を有し、前記少なくとも１つの第２のファイバコアが、歪みなし状態において前記少なくとも１つの第２のファイバコアに導入された光に応答する第２の共振波長を有し、前記第１の共振波長は、前記第２の共振波長とは異なり、前記インタロゲ‐ションユニットは、前記中心波長が前記第１及び第２の共振波長の間にあるように、前記スキャン波長範囲を設定するように構成される、
方法。
【請求項１４】
コンピュ‐タ上で実行される場合に、請求項１３に記載の方法のステップをコンピュ‐タに実行させるプログラムコ‐ド手段を有するコンピュ‐タプログラム。
【発明の詳細な説明】
【技術分野】
【０００１】
本発明は、一般に、光学形状感知の分野に関する。特に、本発明は、少なくとも４つの外側ファイバコアを埋め込まれた光ファイバを有する光ファイバセンサを有する光学形状感知システムに関する。更に、本発明は、光学形状感知方法に関する。
【背景技術】
【０００２】
光学形状感知（ＯＳＳ）は、特殊な光ファイバの三次元形状が、ファイバ内の光の反射から再構成されることができる技術である。この技術は、例えば、医療装置、例えば、カテ‐テル及びガイドワイヤのような装置の完全な形状のリアルタイム３Ｄ視覚化を可能にする。医療装置の形状は、Ｘ線画像又は術前ＣＴスキャン上に重ね合わされることができる。このようにして、医師は、Ｘ線追跡を必要とせずに、処置中に装置をナビゲ‐トすることができる。
【０００３】
光学形状感知においては、光学形状感知ファイバとも称される光ファイバセンサは、ファイバのファイバコア内に結合された光でインタロゲ‐トされ、分散歪み及び温度信号は、干渉計を組み込んだインタロゲ‐タユニットで得られた後方散乱スペクトルから得られる。標準的な光ファイバセンサは、ファイバの半径方向中心に配置された、第４コアの周囲に螺旋状に巻かれている３つの外側ファイバコア（本明細書では、ファイバの中心軸から離間して配置されたファイバコアも、外側ファイバコアとして示される）を有する。歪み及び温度に対するファイバコアの応答は、ファイバセンサに沿った遅延位置の関数として、干渉計からの光信号の位相差として測定される。位相差は、ファイバセンサが明確な形状、例えば、完全に真っ直ぐな形状である基準測定に関して得られる。ファイバコアの位相差から、歪み及び温度差が、各ファイバコアについて推定されることができる。歪み信号は、ねじり歪み及び軸歪みと同様に、直交する２方向の曲げ歪みの和であり、後者は、光ファイバセンサの長手方向の歪みである。これら４つの位置依存量から、ファイバセンサの形状が、再構成されることができる。高精度形状感知のためには、正確なファイバセンサ特性が、形状再構成モデルにおいて必要である。これらの特性は、較正プロセスにおいて個々の光ファイバごとに決定されることができる。
【０００４】
形状感知技術の更なる拡張は、軸歪みの影響から温度の影響を区別することができるようにすることである。そうするために、例えば、国際公開第２０１６／０９９９７６号パンフレットに記載されるように、異なる温度感度を有する少なくとも１つの追加のコアが、必要とされる。
【０００５】
上述したように、光学感知ファイバの形状は、ファイバ内部のいくつか、典型的には４つのコアについて測定された位置依存歪み信号から計算される。例えば、ファイバコア及びファイバ中心によって定義された平面内でファイバを曲げることは、そのコアがファイバの中心に配置されていない場合に、そのファイバコアにおいて歪みを生じる。この場合、歪みεは、ファイバの中心軸からのそのコアの距離ａと、そのコアの曲がりの半径ｒとの商である。曲げ歪みは、ここではファイバの真っすぐで歪んでいない状態に対して測定される。歪みの大きさは、反射光のスペクトルシフトの量から推測されることができる。ファイバコアが、ファイバブラッググレ‐ティング（ＦＢＧ）を含む場合、ブラッググレ‐ティングの周期的な性質により、センサは、共振波長と称される１つの特定の波長の光を反射する。ファイバコアが、基準測定値に対して細長い（正に歪んでいる）場合、ＦＢＧの周期性は、増加し、共振波長の増加という結果になる。他方で、圧縮（負の）歪みの場合、ＦＢＧの周期性は、減少し、共振波長の減少という結果になる。曲げの曲率半径が小さいほど、（曲げ部のファイバコアの位置に応じて、正又は負のいずれかの方向において）共振波長のシフトδλは大きくなる。
δλ＝λ0ζε＝(λ0ζα/ｒ)sin(ｇtwist(ｚ)＋φ)    （１）
ここで、λ0は、ファイバコア、より正確には、歪みなし状態のＦＢＧの共振波長でありであり、ζは、屈折率の歪み誘起変化を考慮する歪み光学係数（≒０．８）であり、ブラッグ周期と波長との間の関係に影響する。サイン関数は、ファイバ中心の周りで螺旋状にねじれているときの、外側コアの変化する位置を記述する。ｇtwistは、コアの累積ねじれ角であり、これは、紡糸されたファイバに本質的に存在するねじれと、外部から加えられたねじれとの和である。φは、曲げ平面の向きと、基準位置におけるファイバコアの角度とに関連するオフセット角である。明確性の理由で、式（１）では、曲げによる歪みのみが、仮定される。
【０００６】
光ファイバセンサが、例えば、医療装置の管腔内に挿入される場合、光ファイバセンサは、変化する曲率半径を経験する。医療装置は、予め成形されてもよく、装置の取り扱い中に、その形態を変化させる。光ファイバセンサにより遭遇される最小曲率半径は、装置の設計、光ファイバ自体、及びそれが使用されている環境に依存する。例えば、人間の血管系は、例えば、非常に曲がりくねっている可能性がある。これらの種類の血管にアクセスすることができるように、より柔軟な装置が、使用される。このような医療装置内の光ファイバセンサは、小さな曲率半径に耐えることができるべきである。しかしながら、光ファイバセンサの最小測定可能曲げ半径に関係する限界が、存在する。
【０００７】
形状感知では、典型的には、スペクトルが、歪みなし状態のＦＢＧの共振波長を中心とする固定波長範囲Δλにわたって光源をスキャンすることによって、各ファイバコアに対して記録される。測定されたスペクトルの内側にまだ共振を有する最小曲げ半径は、
ｒmin＝(２λ0ξａ)/Δλ  （２）
である。
【０００８】
λ0＝１５４５ｎｍ、ξ＝０．８、及びａ＝３５μｍを中心とするスキャン範囲では、測定可能な最小曲げ半径は、５．１ｍｍである。光ファイバセンサが、曲率を下げるように曲げられる場合、信号は、曲げ面内にあるファイバコアに対して測定されない。
【０００９】
式（２）から、最小測定可能曲げ半径が、ファイバコア距離ａを減少させることによって、及び／又はスキャン波長範囲Δλを増加させることによって減少させることができることが分かる。外側ファイバコア距離ａを減少させることが、ねじれ歪みに対する感度がａ2でスケ‐ルするので、曲げ歪みに対する感度及びねじれ歪みに対する感度をも減少させるという欠点を持つ。ねじれに関する要求精度は高く、したがって、ファイバの中心軸からの外側ファイバコア距離を減少させることは、好ましくない。スキャン範囲Δλを増加することは、他の理由で不利である。これは、共振ピ‐クが相対的に少なくスペクトルを埋めるので、信号対雑音比を減少させる。更に、２つの連続するノ‐ド（ファイバ上の位置の関数としてのデ‐タ点）間の遅延長が、減少され、ファイバの同じ物理的長さに対するデ‐タ点の増加を与える。
【００１０】
ＷＯ２０１８／０７５９１１Ａ１は、３つ以上の外側ファイバコアを有する光ファイバセンサを提供することを提案しており、ここで、ファイバコアは、ファイバの中心軸から複数の異なる半径方向距離において配置される。小さな曲げ半径が測定されるには、より小さい距離におけるファイバコアに切り替える必要があり、これは、形状感知測定の精度を低下させる結果となる可能性がある。このような光ファイバセンサの設計は、したがって、精度の損失を被る。
【００１１】
ＵＳ２０１６／０４７９７６Ａ１は、少なくとも１つの第１のコアと、第１のコアを取り囲むクラッドとを有する光導波路を有する光ファイバセンサであって、第１のコアが、光導波路の実質的に全体的な長さにわたって延在し、センサが、クラッドによって少なくとも部分的に取り囲まれた少なくとも１つの第２のコアを有し、第２のコアの長手方向範囲が、光導波路の全長未満であり、少なくとも１つのブラッグ格子が、第２のコアに導入される、光ファイバセンサを開示している。
【００１２】
ＵＳ２００７／０２９７７１２Ａ１は、身体の曲率を検出するための光ファイバセンサを開示し、センサは、外周を有するクラッドを有する。中心コアは、ブラッググレ‐ティングを有し、クラッドの中立面に位置する。周辺コアは、光を送受信する。
【００１３】
David Berra他"Multipoint Two‐Dimensional Curvature Optical Fiber Sensor Based on a Nontwisted Hohogeneous Four‐Core Fiber"は、無撚り均質４コアファイバに基づく多点２次元湾曲光ファイバセンサを開示している。
【００１４】
米国特許第７，３２４，７１４Ｂ１号は、３つのコアを含むマルチコアファイバを含む装置を開示しており、３つのコアは、２対のコアを含み、各対のコアは、平面内にある。２対のコアの平面は、非同一平面である。マルチコアファイバは、ロゼットを含み、ロゼットは、３つの同一平面干渉計を含み、各干渉計は、３つのコアのそれぞれのコア内に配置される。
【００１５】
ＵＳ２０１８／１９５８５６Ａ１は、第１のセットの特性を有する一次光コアと、第２のセットの特性を有する二次光コアとを含む光ファイバを開示する。特性の一次セットは、第１の温度応答を含み、特性の二次セットは、光ファイバに結合された場合に感知装置が光ファイバ上の温度と歪みとを区別することを可能にするために、第１の温度応答とは十分に異なる第２の温度応答を含む。
【発明の概要】
【発明が解決しようとする課題】
【００１６】
本発明の目的は、改良された形状感知測定を可能にする光学形状感知システムを提供することである。
【００１７】
本発明の更なる目的は、改良された形状感知測定を可能にする光学形状感知方法を提供することである。
【課題を解決するための手段】
【００１８】
本発明の第１の態様によれば、光形状感知システムが、提供され、光学形状感知システムは、光ファイバの長手方向中心軸（０）から離間して配置された複数の少なくとも４つのファイバコアを内部に埋め込んだ光ファイバを有し、各ファイバコアは、歪みなし状態でファイバコアに導入された光に応答する共振波長を有する、光ファイバセンサと、ファイバコアの歪みなし状態でのファイバコアの共振波長を含むスキャン波長範囲内の光でファイバコアにインタロゲ‐トするように構成された光学インタロゲ‐ションユニットであって、スキャン波長範囲の中心波長が少なくとも１つのファイバコアの共振波長に対して偏心されるように、スキャン波長範囲を設定するように構成される、光学インタロゲ‐ションユニットとを有する。
【００１９】
本発明による光学形状感知システムは、第１に、３つの外側コアのみを有する標準的なファイバセンサに対してファイバコアの数の冗長性を提供し、第２に、ファイバコアの少なくとも１つ、例えば、いくつか又は全ての共振波長に対して偏心されたスキャン波長範囲の中心波長を設定することによって、より小さい曲げ半径を測定することを可能にする。ファイバコアの共振波長は、それぞれのファイバコアの長さに沿って、好ましくはファイバブラッググレ‐ティングである１つ又は複数の波長依存反射構造によって提供されてもよい。１つ以上のファイバコアに対してスキャン波長範囲の中心波長を偏心させることによって、スキャン波長範囲は、１つ以上のファイバコアの共振波長に対して非対称になる。１つ又は複数の外側ファイバコアの共振波長に対する非対称スキャン波長範囲は、本明細書で更に説明されるように、スキャン波長範囲を増加させることなく、及び／又はファイバの中心軸からの外側ファイバコアの距離を減少させることなく、ファイバセンサのより小さい曲げ半径を測定することを可能にする。
【００２０】
光学インタロゲ‐ションユニットは、スキャン波長範囲の中心波長が、全てのファイバコアの共振波長に関して偏心されるように、スキャン波長範囲を設定するように構成されてもよい。この実施形態は、全てのファイバコアに対してスキャン波長の非対称性を提供する。
【００２１】
ファイバコアの数は、前述の又は後続の実施形態と組み合わせて、又はそれらの代替として、歪みなし状態で第１のファイバコアに導入された光に応答する第１の共振波長を有する第１のファイバコアの第１のサブセットと、歪みなし状態で少なくとも１つの第２のファイバコアに導入された光に応答する第２の共振波長を有する少なくとも１つの第２のファイバコアの第２のサブセットとを有してもよく、第１の共振波長は、第２の共振波長とは異なる。第１の共振波長は、互いに等しくてもよく、第２の共振波長は、互いに等しくてもよく、これは、とりわけ、ファイバセンサの製造を簡略化する。
【００２２】
前述の実施形態に関連して、インタロゲ‐ションユニットは、スキャン波長範囲の中心波長が、第１の共振波長に対して偏心され、第２の共振波長を中心とするように、又はその逆になるように、スキャン波長範囲の中心波長を設定するように構成されてもよい。
【００２３】
この実施形態では、スキャン波長範囲の非対称性が、ファイバコアのサブセットのうちの１つに対して提供されるが、スキャン波長範囲は、他のサブセットに対して対称である。
【００２４】
代わりに、インタロゲ‐ションユニットは、中心波長が第１及び第２の共振波長の間にあるように、スキャン波長範囲を設定するように構成されてもよい。更に、中心波長は、第１共振波長と第２共振波長との中間に設定されてもよい。後者の実施例では、中心波長は、第１及び第２の共振波長の両方に対して等しい波長オフセットを有する。
【００２５】
全てのファイバコアの共振波長は、等しくてもよい。この実施形態は、ファイバセンサの製造を更に単純化する。この実施形態では、スキャン波長範囲の中心波長は、全てのファイバコアに関して偏心される。
【００２６】
スキャン波長範囲は、中心波長が、少なくとも１つのファイバコアの共振波長に対して、スキャン波長範囲の半分未満だけ偏心されるように設定されてもよい。オフセットは、スキャン波長範囲の１／３未満、更には１／４未満であってもよい。
【００２７】
ファイバセンサのファイバコアは、互いに対して等距離で中心軸の周りに方位角方向に分布されてもよい。
【００２８】
代替的に、ファイバコアは、互いに対して非等距離で中心軸の周りに方位角方向に分布されてもよい。
【００２９】
長手方向中心軸から半径方向距離に配置されたファイバコアの数は、５、６、又はそれ以上である。
【００３０】
ファイバコアは、中心軸から等しい距離を有していてもよい。
【００３１】
光ファイバは、ファイバの中心軸上に配置された中心ファイバコアを更に有してもよい。
【００３２】
光学的形状感知システムは、ファイバコアから受け取られた反射スペクトルを用いてファイバセンサの形状を再構成するように構成された評価ユニットを更に有してもよい。
【００３３】
外側ファイバコアは、ファイバセンサの中心軸の周りに螺旋状に巻かれてもよい。
【００３４】
第２の態様によれば、光学形状感知方法が、提供され、光学形状感知方法は、
光ファイバの長手方向中心軸から離間して配置された複数の少なくとも４つのファイバコアを内部に埋め込んだ光ファイバを有する光ファイバセンサを提供するステップであって、各ファイバコアは、歪みなし状態でファイバコアに導入された光に応答する共振波長を有する、ステップと、
歪みなし状態のファイバコアの共振波長を含むスキャン波長範囲の光でファイバコアをインタロゲ‐トするステップと、
を有し、前記インタロゲ‐トするステップは、スキャン波長範囲の中心波長が、少なくとも１つのファイバコアの共振波長に対して偏心されるように、スキャン波長範囲を設定することを有する。
【００３５】
本発明による光学形状感知方法は、システムに関して上述されたのと同じ又は類似の利点及び実施形態を有する。
【００３６】
第３の態様によれば、コンピュ‐タプログラムがコンピュ‐タ上で実行される場合に、コンピュ‐タに第２の態様による方法のステップを実行させるためのプログラムコ‐ド手段を有するコンピュ‐タプログラムが提供される。
【００３７】
理解されるように、上述の全ての実施形態は、光ファイバセンサの曲げ半径をできるだけ小さく測定することを可能にする光学形状感知システム及び光学形状感知方法を提供するために互いに組み合わせられることができる。
【００３８】
本発明のこれら及び他の態様は、以下に記載される実施形態から明らかになり、それを参照して説明される。
【図面の簡単な説明】
【００３９】
【図１】光学形状感知システムの一例を示すブロック図を示す。
【図２】標準的な光ファイバセンサの一例の斜視図を示す。
【図３Ａ】標準的な光ファイバセンサの断面を示す。
【図３Ｂ】図３Ａの光ファイバセンサのシミュレ‐ション結果の図を示し、共振波長及びスキャン波長範囲の中心波長の差が、曲げを有する光ファイバセンサ上の位置の関数としてプロットされる。
【図４Ａ】６つの外側コアを有する光ファイバセンサの一実施形態を示す。
【図４Ｂ】図４Ａの光ファイバセンサのシミュレ‐ション結果の図を示し、共振波長及びスキャン波長範囲の中心波長の差は、光ファイバセンサ上の位置の関数としてプロットされる。
【図５Ａ】６つの外側コアを有する光ファイバセンサの一実施形態を示す。
【図５Ｂ】共振波長及びスキャン波長範囲の中心波長の差が、光ファイバセンサ上の位置の関数としてプロットされる、図５Ａの光ファイバセンサのシミュレ‐ション結果の図を示す。
【図６Ａ】図４Ａと同様の６つの外側コアを有する光ファイバセンサの一実施形態を示す。
【図６Ｂ】図６Ａの光ファイバセンサのシミュレ‐ション結果の図を示し、共振波長及びスキャン波長範囲の中心波長の差が、光ファイバセンサ上の位置の関数としてプロットされる。
【図７Ａ】図４Ａと同様の６つの外側コアを有する光ファイバセンサの一実施形態を示す。
【図７Ｂ】共振波長及びスキャン波長範囲の中心波長の差が、光ファイバセンサ上の位置の関数としてプロットされた、図７Ａの光ファイバセンサに関するシミュレ‐ション結果の図を示す。
【図８Ａ】図７Ａの光ファイバセンサを示す。
【図８Ｂ】図８Ａの光ファイバセンサのシミュレ‐ション結果の図を示し、共振波長及びスキャン波長範囲の中心波長の差が、光ファイバセンサ上の位置の関数としてプロットされる。
【図９Ａ】２組の外側コアの共振周波数に対するスキャン波長範囲の中心スペクトルの偏心の関数としてのゲイン係数ｆ＝ｒmin／ｒ0及びｒ0／ｒxに対するシミュレ‐ション結果の図を示す。
【図９Ｂ】２組の外側コアの共振周波数に対するスキャン波長範囲の中心スペクトルの偏心の関数としてのゲイン係数ｆ＝ｒmin／ｒ0及びｒ0／ｒxに対するシミュレ‐ション結果の図を示す。
【図１０】様々な光ファイバセンサ設計のための４コアでまだ測定可能な最小半径の関数として、６つの外側コアで測定可能な最小曲率半径に対するシミュレ‐ション結果の図を示す。
【発明を実施するための形態】
【００４０】
図１は、光ファイバセンサ１２を感知するためのマルチチャネル光周波数領域反射率測定（ＯＦＤＲ）ベ‐ス及び分布歪み感知システムとして構成された光ファイバセンサシステム１０の一部を概略的に示す。光ファイバセンサ１２は、複数のファイバコア１４、１６、１８、２０を内部に埋め込まれた光ファイバを有し、本例では、１つの中心コア１６及び３つの外側コア１４、１８、２０を有する４つのコアを有する。図１に示される光ファイバセンサは、標準的なファイバセンサである。ここで、本発明が、３より多い外側コアを有する光ファイバセンサ設計を提案することに注意されたい。図２は、中心コア１６の周りで螺旋状にされた外側コア１４、１８、２０を持つファイバコア１４、１６、１８、２０の長さの一片を示す。中心コア１６は、光ファイバセンサ１２の中心軸上に配置される。外側ファイバコア１４、１８、２０は、光ファイバセンサ１２の長手方向中心軸の周りの方位方向において互いに対して角度的に離間している。長手方向中心軸は、中心コア１６に一致する。本例における複数の４つのコアによれば、近隣の外側コアの間の角度的間隔は、１２０°であってもよい。
【００４１】
再び図１を参照すると、光学形状感知システム１０は、インタロゲ‐タユニット２１を有する。インタロゲ‐タユニット２１は、スキャン波長範囲とも称される光周波数の範囲にわたって掃引されることができる調節可能な光源２２を有してもよい。光源２２によって放射された光は、光ファイバセンサ１２の複数のファイバコア１４、１６、１８、２０に応じて光チャネル２４ａ、２４ｂ、２４ｃ、２４ｄを有する光干渉ネットワ‐ク２４内に結合される。光ファイバセンサ１２が、４より多いコアを有する場合、光干渉ネットワ‐ク２４が、対応する数の光チャネルを有してもよい。
【００４２】
調節可能光源２２が、ある範囲の光周波数にわたって掃引される場合、各チャネル２４ａ、２４ｂ、２４ｃ、２４ｄ、したがって、光ファイバセンサ１２の各ファイバコア１４、１６、１８、２０は、同時に及び独立に光学的にインタロゲ‐トされ、ファイバコア１４、１６、１８、２０の各々から戻ってくる反射スペクトルに基づく干渉信号は、それぞれの光検出器２５を介して処理ユニット又はデ‐タ取得ユニット２６に送られる。次いで、多重チャネルＯＦＤＲシステムを使用するコア１４、１６、１８、２０からの分布歪み測定値は、更なる処理、特に光ファイバセンサ１２の三次元形状再構成のため、及び再構成された三次元光ファイバセンサ１２の視覚的表示のために評価ユニット２７にエクスポ‐トされ得る。
【００４３】
光ファイバセンサ１２の一実施形態において、ファイバコア１４、１６、１８、２０は、屈折率の周期的変動によって形成されるファイバブラッググレ‐ティング（ＦＢＧ）を有してもよい。単純化のために、単一の共振波長を有するＦＢＧが、ここで考慮される。ＦＢＧは、ＦＢＧの格子周期に依存する特定の波長（共振波長）の光を反射し、他の全ての波長を透過する。光ファイバセンサ１２の曲がりにより、格子周期は、歪みにより影響を受け、ファイバに沿った任意の位置についての反射波長の測定値は、局所的な歪みを決定することを可能にする。以下に説明される本発明の実施形態による光ファイバセンサ１２'は、このようなＦＢＧを有してもよい。
【００４４】
光ファイバセンサ１２の光学的インタロゲ‐ションは、原理的に、ファイバセンサ全体の三次元形状をリアルタイムで再構成するために必要とされる情報を与える。適切な基準フレ‐ムを前提として、完全なファイバセンサ１２の正確な向き及び位置をリアルタイムで知ることが、可能である。
【００４５】
光ファイバセンサ１２のような光ファイバセンサが、例えば、カテ‐テル又はガイドワイヤのような医療装置内で使用される場合、装置は、装置の取扱い中にその形態を変化させる。例えば、装置が、非常に曲がりくねっている可能性がある人間の血管系内に導入するためのカテ‐テルである場合、装置、したがって、光ファイバセンサ１２は、非常に小さい可能性がある曲率半径を有してもよい長さに沿った曲げを経験する。しかしながら、光学形状感知技術では、光ファイバセンサの最小測定可能曲げ半径に関係する限界が、存在する。
【００４６】
上記の式（２）を参照すると、標準的な光ファイバセンサ１２の最小測定可能曲げ半径は、歪みなし状態におけるファイバコアの共振波長λ0＝１５４５ｎｍを中心とするスキャン範囲、ξ＝０．８、及びａ＝３５μｍに対して５．１ｍｍとなる（これらのパラメ‐タの定義に関しては上記参照）。標準的な光ファイバセンサ１２が、より低い曲率、すなわち５．１ｍｍ未満の曲げ半径を有する曲率に曲げられる場合、曲げ平面内にあるファイバコアについては、信号は測定されない。
【００４７】
図３Ａは、標準的な光ファイバセンサ１２の断面を示し、３つの外側コアは、１、２、３のラベルを付され、中心コアは、０のラベルを付されている。図３Ｂは、半径５．１ｍｍの曲げを有する光ファイバセンサ１２についてのシミュレ‐ション結果（式（１）参照）を示す。図３Ｂでは、λres、すなわち曲げられた状態のファイバコア１、２、３の各々についての共振波長と、λc、すなわちスキャン波長範囲の中心波長との差が、中心軸（中心コア０）の周りの方位角方向に１２０°だけ分離された３つの外側コア１、２、３に対して、長さに沿った光ファイバセンサ上の位置の関数としてプロットされる。中心コア０のスペクトルは、中心コア０の曲げ歪みによる共振波長のシフトが存在しないので、図３Ｂには描かれない。外側ファイバコア１、２、３のねじれ率は、メ‐トル当たり５０タ‐ンであり、１つのインデックスは、４８．２μｍに対応する。灰色陰影領域は、曲げによる外側コアの共振波長のシフトをカバ‐するために必要とされるスキャン波長範囲を与える。図３Ｂにおいて、曲線４１は、コア１についてのシミュレ‐ション結果を示し、曲線４２は、コア２についてのシミュレ‐ション結果を示し、曲線４３は、コア３についてのシミュレ‐ション結果を示す。５．１ｍｍの曲げ半径（すなわち、曲げに対する光ファイバセンサの全ての向きについて）を常にカバ‐するのに必要とされる最小スキャン範囲は、図３Ｂにおいて、λres‐λc＝±８．４ｎｍにおいて点線５１、５２によって示される。
【００４８】
図４Ａは、本発明による光ファイバセンサ１２'の一実施形態を示し、これは、３より大きい数の外側ファイバコアを有する。換言すれば、光ファイバセンサ１２'は、標準的なセンサ１２の３つの外側ファイバコアと比較してファイバ１２'のより小さな曲げ半径を測定することを可能にするために、ファイバ１２'の形状感知測定において冗長性を提供する更なる外側ファイバコアを追加することによって、冗長性を提供する。図４Ａにおいて、外側ファイバコアは、参照番号１乃至６でラベル付けされる。ファイバセンサ１２'は、中心コア０をも含み、ここで０は、ファイバセンサ１２'の中心軸をも示す。したがって、ファイバコアの第１のサブセットの３つの外側ファイバコア、例えばファイバコア１、３、５、及びファイバコアの第２のサブセットの３つの外側ファイバコア、例えばファイバコア２、４、６が、存在する（第１のサブセット及び第２のサブセットへのファイバの割当ては重要ではないことに留意されたい）。
【００４９】
図４Ａに示されるように、第１のサブセットのファイバコア１、３、５及び第２のサブセットのファイバコア２、４、６は、中心軸（中心コア０）から同じ半径方向距離を有する。更に、ファイバコア１乃至６は、方位方向において中心軸の周りに等距離に配置される。したがって、ファイバコア１乃至６の２つの近隣のファイバコアの間の角度は、６０°である。ファイバコア１，３，５は、ファイバ１２'の歪みなし状態で第１の単一共振波長を有してもよく、ファイバコア２，４，６は、ファイバセンサ１２'の歪みなし状態で第２の単一共振波長を有してもよい。この例では、第１及び第２の共振波長は、等しい。
【００５０】
ファイバコアの第２のサブセットのファイバコアは、センサ１２'の中心軸の周りに螺旋状に巻き付けられてもよい。
【００５１】
光ファイバセンサ１２'を用いる形状再構成に必要とされる４つの位置依存量を区別することができるように、これらの量が２つの直交方向の曲げ歪み、ねじれ歪み及び軸方向歪みであり、中心コア０及び外側コア１乃至６の少なくとも３つの信号は、既知であるべきである。
【００５２】
図４Ｂは、図４Ａの光ファイバセンサ１２'のシミュレ‐ション結果を示し、図３Ｂに関して説明されたように、共振波長λresとスキャン波長範囲の中心波長λcとの差が、光ファイバセンサ１２'上の位置の関数としてプロットされる。灰色陰影領域は、外部コア１乃至６の少なくとも３つの共振を含むのに必要とされるスキャン波長範囲を与える。図４Ｂにおいて、曲線４１乃至４６は、外側ファイバコア１乃至６についてのシミュレ‐ション結果を示す（中央コア０についての結果は図４Ｂでは再び省略される）。図４Ｂの図から分かるように、黒い点線５１及び５２は、もはやファイバコア信号の最大値ではなく、これは、同じスキャン波長範囲（±８．４ｎｍ）を用いて、より小さな曲げ半径が測定されることができることを意味する。この場合には、４．５ミリメ‐トルの最小曲げ半径ｒminが、測定されることができる。図３Ｂ及び図４Ｂのシミュレ‐ション結果を比較すると、例えば、３つの代わりに６つの外側ファイバコアを設けることによって、ファイバコアにおける冗長性を明らかにし、測定可能な最小曲げ半径が、スキャン波長範囲を増加させることなく、かつ中心軸からの外側コアの距離を減少させることなく、減少されることができる。
【００５３】
図３Ａの光ファイバセンサ１２のような、３つの外側コアを有する標準的な光ファイバセンサと比較して、外側ファイバコアにおける冗長性の有益な効果のための方策を有するために、ゲイン係数ｆが、計算されてもよく、これは、スキャン波長範囲を増加させることなく、コアの量ｎによる冗長性によって得られる。
ｆ＝cos((π/(ｎ‐１)floor((ｎ/２)‐２))，ｎ≧４    （３）
ここで、ｎは、（中心コア及びｎ‐１個の外側ファイバコアを含む）ファイバコアの総数である。ｎ＝４（標準的な光ファイバセンサ）の場合、ｆは１である。ｎ＝７（６つの外側コア及び１つの中心コア）の場合、ｆは約０．８７である。これは、６つの外側コアの対称的な配置（２つの近隣の外側コアの間の６０°の角度）について、最小の測定可能な曲げ半径が、同じスキャン波長範囲で、０．８７倍、すなわち、５．１ｍｍから４．５ｍｍに減少されることができることを意味する。
【００５４】
ゲイン係数ｆ、したがって、最小測定可能曲げ半径は、更なる実施形態に関連して説明される以下の方策のうちの１つ又は複数によって更に低減されることができる。
【００５５】
一般に、ゲイン係数ｆの最適化は、互いに対するファイバコア角度を変化させることによって、及び／又はコア光学特性を変化させることによって、及び／又はスキャン波長範囲と歪みなし状態におけるファイバコアの共振波長との間に非対称性を導入することによって行われることができる。これらの方策が、以下に説明される。
【００５６】
図５Ａは、６つの外側コア１乃至６を有する光ファイバセンサ１２′の実施形態を示し、図４Ａにおける実施形態との差は、図５Ａにおけるファイバコア１乃至６がファイバ１２′の中心軸に沿って延在する中心コア０の周りの方位角方向に等距離に分布していないことである。図５Ａの実施形態では、近隣のファイバコアのいくつか、例えばファイバコア２及び３の間の角度は、他の近隣のファイバコア、例えばファイバコア１及び２の間の角度よりも小さい。例えば、ファイバコア２と３との間、４と５との間、及び６と１との間のより小さな角度は、３０°であってもよく、一方、ファイバコア１と２との間、３と４との間、及び５と６との間のより大きな角度は、９０°であってもよい。図５Ａに示されるような６つの外側ファイバコアの数は、例示的なものであり、冗長性がある限り、任意の他の数の外側ファイバコアも、同様に採用されることができることに留意されたい。図５Ａの実施形態では、外側コア１、３、５の第１のサブセットは、０°、１２０°、及び２４０°に配置され、同じ相対角度を有する３つのコア２、４、６の第２のサブセットは、第１のサブセットのファイバコア１、３、５に対してθ＝３０°の角度の下に配置される。任意のθを持つ７コア光ファイバセンサ（６つの外側のファイバコア及び１つの中心コア）に対して、ゲイン係数ｆ は次式で与えられる。
ｆ＝max{cos((|θ|‐π/3)/2), ‐sin((|θ|‐2π/3)/2)}, ‐π/3＜θ≦π/3    （４）
【００５７】
最小ゲイン係数ｆは、７コアファイバセンサ１２'におけるθ＝３０°（ｆ = ０．７１）に対して得られる。図５Ｂは、図５Ａの６つの外側コア１乃至６についてのシミュレ‐ション結果の図４Ｂに類似した図を示す。灰色陰影領域は、再び、少なくとも３つの外側コアの共振を含むために必要とされるスキャン波長範囲を与え、点線５１、５２は、５．１ｍｍの曲げ半径についての全てのファイバコアの共振をカバ‐するために必要とされる最小スキャン波長範囲を示す。
【００５８】
したがって、角度θ＝３０°では、最小測定可能曲げ半径の３．６ｍｍへの減少が、達成されることができ、これは、±８．４ｎｍの同じ固定スキャン波長範囲に対して、θ＝６０°である図４Ａにおける実施形態のより対称的な場合よりも小さい。
【００５９】
光ファイバセンサの最小測定可能曲げ半径を最適化するための更なる方策は、第１及び第２のサブセット内のファイバコアの光学特性を適切に選択することである。ファイバコア間で異なり得るこのような光学特性は、歪みなし状態のファイバコアの共振波長λ0であってもよい。図６Ａは、図４Ａの実施形態と幾何学的に同一である光ファイバセンサ１２'の実施形態を示し、これは、ファイバコアの第１のサブセット、例えば、ファイバコア１、３、５と、ファイバコアの第２のサブセット、例えば、ファイバコア２、４、６とを有する。図４Ａの実施形態との差は、歪みなし状態の外側コアの第１のサブセットの共振波長λ0Aが、歪みなし状態のファイバコアの第２のサブセットのファイバコアの共振波長λ0Bとは異なることである。第１のサブセットのファイバコアの共振波長は、スキャン波長範囲の中心波長λCから偏心されてもよく、第２のサブセットのファイバコアの共振波長は、スキャン波長範囲中心λCに保たれる。一例として、ファイバコアの第１のサブセットについては、λ0A‐λCは、４．３ｎｍであってもよく、外側ファイバコアの第２のサブセットについてはλ0B＝λCであってもよい。また、λ0A,0B‐λCは、３つの外側ファイバコアの第１のサブセット及び３つの外側ファイバコアの第２のサブセットについて、ゼロから逸れることも考えられる。図６Ｂは、図６Ａの光ファイバセンサ１２'のシミュレ‐ション結果を示し、歪み状態における共振波長λresとスキャン波長範囲の中心波長λCとの差は、図３Ｂに関して説明されたように、外側ファイバコア１乃至６のセンサ上の位置の関数としてプロットされる。
【００６０】
また、図６Ａの実施形態を図５Ａの実施形態と組み合わせること、すなわち、図５Ａに示されるように、外側ファイバコア１乃至６の角度位置を非等距離に変更することも考えられる。
【００６１】
最小測定可能曲げ半径を減少させるために、外側光ファイバコアの冗長性と組み合わせた更なるオプションは、例えば、歪みなしファイバコアのＦＢＧの共振波長と、ファイバコアにインタロゲ‐トするために使用されるスキャン波長範囲の中心波長との間に非対称性を導入することである。これは、λ0が全てのファイバコアに対して同じである場合でさえ、λ0≠λCであることを意味する。このために、図１の光学形状感知システム１０のインタロゲ‐ションユニット２１は、中心波長がファイバコア１乃至６のうち１つ以上の共振波長と異なるように中心波長λCを設定するように構成される。図７Ａ及び図８Ａは、それぞれの場合において、６つの外側ファイバコア１乃至６及び１つの中心コア０を有する光ファイバセンサ１２'の断面を示す。図７Ａ及び図８Ａにおける光学感知ファイバ１２'の幾何学的設計は、互いに関して同じである。図７Ａの実施形態では、スキャン波長範囲は、歪みなしファイバコア１乃至６の共振波長λ0が、スキャン範囲の端部に完全にあるように、すなわち、この例ではλ0‐λC＝８．４ｎｍになるように設定される。この場合、最小測定可能曲げ半径は、１６．７ｎｍのスキャン範囲に対して２．６ｍｍまで低くなる。しかしながら、この構成は、共振が、完全に直線状のファイバの限界の場合にのみスキャン波長範囲にあることを意味する。全てのファイバコア１乃至６ がまだ測定されたスペクトル内である最小の曲率半径をｒx で定義する場合、ｒx＝∞である。これは、ファイバコアの冗長性が、より低い曲率の場合でさえも、他のものにもはや使用されることができないので、望ましくない状況であり得る。偏心λ0‐λCを下げると、ｒxも下がる。図８Ａ及び図８Ｂは、４つのファイバコア（中心コアを含む）で測定可能な最小半径であるｒminとｒxとの間でトレ‐ドオフが行われる例を与える。例えば、全ての外側ファイバコア１乃至６に対してλ0‐λC＝２．３ｎｍである場合、ｒmin＝３．５ｍｍ及びｒx＝７．０ｍｍである。
【００６２】
以下の表１では、図３Ａにおける標準的な場合及び図４Ａ、５Ａ、６Ａ、７Ａ及び８Ａにおける実施形態のシミュレ‐ション結果が、要約される。表１には、ゲイン係数ｆ、ｒmin（中心コアを含む４つのファイバコアでまだ測定可能な最小曲率半径）及びｒx（全てのファイバコアがまだ測定スペクトル内にある最小曲率半径）が、列挙される。
【表１】
2022502631.tif 000003
【００６３】
表１は、また、上述のように、λ0‐λCが、第１のサブセットの外側ファイバコアに対して及び第２のサブセットの外側ファイバコアに対してゼロから逸れる、表１の５行目の実施形態を含み、ここで、第１のサブセットの外側ファイバコアについてλ0‐λC＝２．８ｎｍであり、第２のサブセットの外側ファイバコアについてλ0‐λC＝‐２．８ｎｍである。
【００６４】
光ファイバセンサ１２'の設計を最適化し、光ファイバセンサ１２'のファイバコアのインタロゲ‐ションのスキャン範囲を提供するインタロゲ‐タユニット２１（図１）を最適化する上述の方策は、全て、実行されるアプリケ‐ションのために組み合わせられることができる。
【００６５】
例えば、ファイバコアの歪みなし状態における共振波長λ0は、何らかの他の設計上の制約により、ファイバコアごとに逸れてもよい。例えば、温度を軸方向歪みと区別することが望ましい場合、他のコアとは異なる温度感受性を有する少なくとも１つのファイバコアが、使用されなければならない。これは、このファイバコアに対するλ0の逸れを生じることができる。図６Ａのものに類似した設計の７ファイバコア形状感知ファイバの場合について、いくつかのオプションが、以下に説明される。この目的のために、Δ＝λ0,A‐λ0,Bであると定義され、ここで、Ａ及びＢが、６０°だけ分離された３つの外側コアの２つのサブセットを示す。ここで、特定のΔ及びλ0,A‐λCに対してｒminとｒxを計算することが可能である。結果は、図９Ａ及び９Ｂ並びに図１０において与えられる。
【００６６】
図１０において、１／ｒxは、Δ＝０．０ｎｍからΔ＝±１２．０ｎｍまでの範囲の複数のΔに対するｒminの関数としてプロットされる。図９Ａは、ゲイン係数f = rmin／ｒ0に対するシミュレ‐ション結果を示し、図９Ｂは、量ｒ0／ｒxに対するシミュレ‐ション結果を示し、それぞれλ0,A‐λC及びλ0,B‐λCの関数として示されている。ｒ0は、図３Ａに示されるような３つの外側コアを有する標準的なファイバ‐設計に対する最小測定可能曲げ半径である。
【００６７】
９Ａ及び９Ｂの２つのプロットが、図１０において組み合わされている。図１０は、７つのファイバコアで測定可能な最も高い曲率（１／ｒx）を、Δによって表される様々なセンサ設計に対するファイバセンサ１２'の４つのファイバコア（中心コアを含む）で依然として測定可能な最小半径ｒminの関数として示す。ｒminは、２．６ｎｍから５．９ｍｍの範囲を取り、ｒxは、５．１ｎｍから無限大の範囲を取る。図９Ａ、図９Ｂ、及び図１０から、ｒminとｒxとの間のトレ‐ドオフを最大限に活用する「局所」最適設計が存在することがわかる。例えば、Δ＝０ｎｍの場合は、Δ≠０ｎｍを有する全ての曲線が、ｒminに対する、より大きい又はせいぜい等しい値を生じさせるので、最適値を表す。Δ＝０ｎｍの場合には、スキャン波長範囲におけるオフセットの関数として、測定可能な最小曲げ半径の式を導くことが可能である。この目的のために、相対スキャン波長範囲オフセットＯf が、Ｏf＝|2(λ0,A‐λC)/Δλ|＝|2(λ0,B‐λC)/Δλ|で開始され、ここで、Δλは、フルスキャン範囲を表し、これは本例では１６．７ｎｍである。ゲイン係数ｆ＝ｒmin／ｒ0は、次式で与えられる。
ｆ＝(１/２)・√３/(１＋Ｏf),   ０≦Ｏf≦(√３‐１)/(√３＋１)
ｆ＝(１/２)・１/(１‐Ｏf),   (√３‐１)/(√３＋１)≦Ｏf≦１/３
ｆ＝１/(１＋Ｏf),  １/３≦Ｏf≦１
ｒ0/ｒx＝１‐Ｏf,   ０≦Ｏf≦１                                  （５）
【００６８】
式（５）及び図１０から、ｆ＝０．６８及びｒ0/ｒx＝０．７３であるように、Ｏf＝(√３‐１)/(√３＋１)において最適値が存在することが明らかである。１６．７ｎｍのスキャン範囲及びｒ0＝５．１ｍｍに対して、これは、ｒmin＝３．５ｍｍ及びｒx＝７．０ｍｍを有する設計を構成する（これはまさに図８Ａに与えられる例である）。わずかに小さいｒminに対して、ｒxは、直接的にはるかに大きくなる。この局所最適値は、λ0,A‐λC＝２．３ｎｍに対して達成される。同様の考察が、他の形状感知ファイバ設計についても行われることができる。
【００６９】
上述の態様は、冗長性の場合、すなわち、ファイバセンサ内のファイバコアの数が、光ファイバセンサ１２'の形状を正確に感知するために必要とされる量の数より大きい場合には全て有効である。。しかしながら、厳密に言えば全体的な冗長性がない場合でも、同じ態様を使用することが有利であることができる。形状感知に必要とされる必須量のために時間的又は空間的に「冗長性」を作り出すために、あまり重要でない量に関する情報を失うことは許容可能でありうる。例えば、いくつかの測定値に対して、又は、例えば、より小さな曲率半径を有する短い曲げを有する、いくつかの特定の位置において、より小さな曲げ半径が依然としてプロ‐ブされることができるように、ファイバコアのいくつかの信号のみが、使用されうる。これは、精度を僅かに損なうかもしれず、又はこれは、信号の（時間的又は空間的）内挿又は外挿によって補償されることができる。これは、以下でより詳細に説明される。
【００７０】
再び図６Ａを参照すると、合計で７コアを有する光ファイバセンサ１２'を示し、３つの感温ファイバコアは、歪みなし状態で異なる共振波長λ0を有し、したがって、測定すべき量の数（５つ）は、ファイバコアの数（７つ）よりも少ないため、軸方向歪、温度、２つの直交方向の曲げ歪み、及びねじれ歪みが、測定されることができる。前述の量が測定されることができる最小曲率半径は、１０．６ｍｍ（ｒx）である。この半径より下、かつｒmin＝３．２ｍｍより上では、依然として３つの外側ファイバコアのみが、スペクトル内にある。これらの３つの外側ファイバコア及び中心ファイバコアにより、依然として、２つの直交方向の曲げ歪みとねじれ歪みが、軸方向歪と温度の効果の合計と同様に、測定されることができる。軸方向歪みと温度は、もはや分離されることができないため、他の信号の精度は、損なわれるが、小さな距離に対して、残りの精度が、十分でありうる。きつい曲げが光ファイバセンサ１２'内に存在する確率が低い多くの用途が存在してもよく、それらが発生する場合、きつい曲げの長さは、短く、例えば医療装置において、形状の端部であってもよく、全体的な形状精度への影響を更に低減する。前に述べたように、７つのファイバコアが依然として利用可能である場所での温度及び軸方向歪みの分離は、精度の損失を補償するために、内挿又は外挿されてもよい。又は、他の状況では、ｒmin＜ｒ＜ｒxでの測定に対する温度及び軸方向歪みの分離は、ｒ＞ｒxでの測定に時間的に近い測定から内挿又は外挿され得る。
【００７１】
上述した光ファイバセンサ１２'の１つ以上の実施形態を使用して最小測定可能曲げ半径を低減するのに適した上記の態様は、光学形状感知方法において使用されることができる。この方法では、光ファイバセンサ（１２'）が設けられる。ファイバコアの第１のサブセットのファイバコア（１、３、５）及びファイバコアの第２のサブセットのファイバコア（２、４、６）は、光でインタロゲ‐トされる。ファイバコアの第１のサブセットのファイバコア（１，３，５）及びファイバコアの第２のサブセットの少なくとも１つのファイバコア（２，４，６）から戻ってくる光の反射スペクトルが、測定され、反射スペクトルに基づく光ファイバセンサ（１２'）の形状が、再構成される。この方法は、図１のシステム１０で実行することができ、上述のように、システム１０は、４よりも大きい対応する数の光学チャネル２４ａ乃至２４ｄを有する。上述のファイバセンサ１２'は、カテ‐テル又はガイドワイヤのような医療装置によって構成されてもよい。
【００７２】
本発明が、図面及び前述の説明において詳細に図示及び説明されてきたが、そのような図示及び説明は、説明的又は例示的であり、限定的ではないと見なされるべきであり、本発明は、開示された実施形態に限定されない。開示された実施形態に対する他の変形は、図面、開示、及び添付の請求項の検討から、請求項に記載された発明を実施する際に当業者によって理解及び実施されることができる。
【００７３】
請求項において、単語「有する」は、他の要素又はステップを排除するものではなく、不定冠詞「ａ」又は「ａｎ」は、複数性を排除するものではない。単一の要素又は他のユニットが、請求項に列挙されるいくつかの項目の機能を満たすことができる。特定の手段が相互に異なる従属請求項に記載されているという単なる事実は、これらの手段の組み合わせが有利に使用されることができないことを示すものではない。
【００７４】
請求項におけるいかなる参照符号も、範囲を限定するものとして解釈されるべきではない。
【図１】
2022502631.tif 000004
【図２】
2022502631.tif 000005
【図３Ａ】
2022502631.tif 000006
【図３Ｂ】
2022502631.tif 000007
【図４Ａ】
2022502631.tif 000008
【図４Ｂ】
2022502631.tif 000009
【図５Ａ】
2022502631.tif 000010
【図５Ｂ】
2022502631.tif 000011
【図６Ａ】
2022502631.tif 000012
【図６Ｂ】
2022502631.tif 000013
【図７Ａ】
2022502631.tif 000014
【図７Ｂ】
2022502631.tif 000015
【図８Ａ】
2022502631.tif 000016
【図８Ｂ】
2022502631.tif 000017
【図９Ａ】
2022502631.tif 000018
【図９Ｂ】
2022502631.tif 000019
【図１０】
2022502631.tif 000020
【国際調査報告】
2022502631.tif 000021
2022502631.tif 000022
2022502631.tif 000023